(57)【要約】【課題】遮蔽層がない配電線においても耐圧の高くない簡便な機器を用い、絶縁事故が発生した配電線を特定することができるような包囲部材を提供する。【解決手段】配電線に備えられた各導体の外側面を包囲する包囲部材１０であって、半導電層１１が、絶縁層１２に挟まれている。さらに、配電線側とは反対側に配置される絶縁層１２からは半導電層１１と電気的に接続されたＩＶ線１３が引き出されている。また、この包囲部材１０は、円筒型であって、当該円筒型の長さ方向Ｙ１に切り口１４が設けられている。さらに、その長さ方向Ｙ１の両端１５には、半導電層１１が設けられておらず、端部に向かうに従って円筒型の半径方向Ｙ２が薄くなっている。【選択図】図１
2006158143.tif 000002
【特許請求の範囲】
【請求項１】
配電線に備えられた各導体の外側面を包囲する包囲部材であって、
導電性の部材からなる導電層と、
前記導電層を挟むように設けられた絶縁層とを備え、
前記導体側とは反対側に配置される絶縁層からは前記導電層と電気的に接続された電線が引き出されている
ことを特徴とする包囲部材。
【請求項２】
請求項１記載の包囲部材であって、
当該包囲部材は、円筒型であって、当該円筒型の長さ方向に切り口が設けられている
ことを特徴とする包囲部材。
【請求項３】
請求項２記載の包囲部材であって、
当該長さ方向の両端には、前記導電層が設けられておらず、端部に向かうに従って前記円筒型の半径方向が薄くなっている
ことを特徴とする包囲部材。
【請求項４】
請求項１〜３何れか１項記載の包囲部材であって、
前記絶縁層から引き出された電線は、再び絶縁層を貫通して前記導電層に電気的に接続されている
ことを特徴とする包囲部材。
【発明の詳細な説明】
【技術分野】
【０００１】
本発明は、架空線の外側面を包囲する包囲部材に関するものである。
【背景技術】
【０００２】
図５は、配電用変電所の簡略化した図である。まず、Ａバンクについて考えると、例えば６６ＫＶの送電線１の電力は、主変圧器１Ｔの１次側に入力され、例えば６．６ＫＶに降圧された後、２次側からブス２へ導出される。このブス２には、例えば６系統の配電線α１〜α６が接続されており、送電線１の電力は、この配電線α１〜α６を介して各需要家へ供給される。
【０００３】
また、Ｂバンク、Ｃバンクも上述したＡバンクと同様に、送電線１の電力が主変圧器２Ｔ、３Ｔの１次側に入力され、降圧された後、２次側からブス３、４に導出される。そして、各ブス３、４には、配電線β１〜β６、γ１〜γ６が各々接続されており、送電線１の電力は、この配電線β１〜β６、γ１〜γ６を介して各需要家へ供給される。
【０００４】
上述した配電線α、β、γの絶縁事故の検出を行うため、配電用変電所にて、各ブス２〜４に設けられた接地変圧器（ＧＰＴ）によって零相電圧を監視し、この零相電圧が大きくなると、配電用変電所は、絶縁事故を検出する。そして、この事故が検知された後、事故発生場所を速やかに特定し対策を施す必要がある。対策としては、例えば、事故に結びつく可能性の高い欠陥部の除去や、事故線路のケーブル張り替え工事の実施などである。
【発明の開示】
【発明が解決しようとする課題】
【０００５】
しかしながら、上述したように零相電圧の監視は、バンク単位で行われているため、従来の配電用変電所のシステムでは、例えばＡバンクのブス２に設けられたＧＰＴによって絶縁事故を検出しても、配電線α１〜α６の何れに事故が発生しているのかを特定することが困難であった。このため、配電線α１〜α６の中から事故が発生している配電線を時間をかけて探索しなければならない。
【０００６】
この際、ＣＶケーブル等の配電ケーブルは遮蔽層があるため、ここから引き出されている接地線でＣＴ等の電流測定器を用いて電流などを計測することにより良否判定がしやすい。一方、架空線を配電線としている場合、電流を計測して事故発生場所を特定するのは難しい。これは、架空線の構造が導体と絶縁物のみであり、遮蔽層を有していないため、電流を計測することができないからである。仮に、架空線の導体から直接電流を計測しようとした場合、電流測定器としては絶縁性の高いものを用いる必要があり、コスト的に問題がある。
【０００７】
そこで、本発明は、上記のような問題点に着目し、遮蔽層がない配電線においても耐圧の高くない簡便な機器を用い、絶縁事故が発生した配電線を特定することができるような包囲部材を提供することを課題とする。
【課題を解決するための手段】
【０００８】
上述した課題を解決するためになされた請求項１記載の発明は、配電線に備えられた各導体の外側面を包囲する包囲部材であって、導電性の部材からなる導電層と、前記導電層を挟むように設けられた絶縁層とを備え、前記導体側とは反対側に配置される絶縁層からは前記導電層と電気的に接続された電線が引き出されていることを特徴とする包囲部材に存する。
【０００９】
請求項１記載の発明によれば、配電線に備えられた各導体の外側面を包囲する包囲部材であって、導電層が、絶縁層に挟まれている。さらに、配電線側とは反対側に配置される絶縁層からは導電層と電気的に接続された電線が引き出されている。従って、この包囲部材によって架空線などの遮蔽層を有しない配電線の外側面を包囲すれば、配電線に交流電圧が印加されたり、交流電流が流れると、導電層に誘導電圧や誘導電流が発生する。このとき、電線を介して導電層に発生した誘導電圧や誘導電流を計測すれば、遮蔽層を持たない配電線であっても、配電線毎の電圧・電流特性を計測して、絶縁事故が発生しているか否かを判断することができる。
【００１０】
請求項２記載の発明は、請求項１記載の包囲部材であって、当該包囲部材は、円筒型であって、当該円筒型の長さ方向に切り口が設けられていることを特徴とする包囲部材に存する。
【００１１】
請求項２記載の発明によれば、包囲部材は、円筒型であって、円筒型の長さ方向に切り口が設けられている。従って、切り口から導体を包み込むようにセットして、その後切り口をふさげば、簡単に導体を包囲することができる。
【００１２】
請求項３記載の発明は、請求項２記載の包囲部材であって、当該長さ方向の両端には、前記導電層が設けられておらず、端部に向かうに従って前記円筒型の半径方向が薄くなっていることを特徴とする包囲部材に存する。
【００１３】
請求項３記載の発明によれば、両端には、導電層が設けられておらず、端部に向かうに従って、筒型の半径方向が薄くなっている。従って、端部に向かうに従って、筒型の半径方向を薄くすることにより、ふさいだ切り口を切れにくくすることができる。
【００１４】
請求項４記載の発明は、請求項１〜３何れか１項記載の包囲部材であって、前記絶縁層から引き出された電線は、再び絶縁層を貫通して前記導電層に電気的に接続されていることを特徴とする包囲部材に存する。
【００１５】
請求項４記載の発明によれば、絶縁層から引き出された電線が、再び絶縁層を貫通して前記導電層に電気的に接続されている。以上のように構成すれば、導体に交流電圧、電流が流れると電線に誘導電圧、誘導電流が発生するため、配電線毎の電圧・電流特性を計測して、絶縁事故が発生しているか否かを判断することができる。
【発明の効果】
【００１６】
以上説明したように、請求項１記載の発明によれば、この包囲部材によって架空線などの遮蔽層を有しない配電線の外側面を包囲すれば、配電線に交流電圧が印加されたり、交流電流が流れると、導電層に誘導電圧や誘導電流が発生する。このとき、電線を介して導電層に発生した誘導電圧や誘導電流を計測すれば、遮蔽層を持たない配電線であっても、配電線毎の電圧・電流特性を計測して、絶縁事故が発生しているか否かを判断することができるので、遮蔽層がない配電線においても耐圧の高くない簡便な機器を用い、絶縁事故が発生した配電線を特定することができるような包囲部材を得ることができる。
【００１７】
請求項２記載の発明によれば、切り口から導体を包み込むようにセットして、その後切り口をふさげば、簡単に導体を包囲することができる包囲部材を得ることができる。
【００１８】
請求項３記載の発明によれば、端部に向かうに従って、筒型の半径方向を薄くすることにより、ふさいだ切り口を切れにくくすることができる包囲部材を得ることができる。
【００１９】
請求項４記載の発明によれば、導体に交流電圧、電流が流れると電線に誘導電圧、誘導電流が発生するため、配電線毎の電圧・電流特性を計測して、絶縁事故が発生しているか否かを判断することができるので、遮蔽層がない配電線においても耐圧の高くない簡便な機器を用い、絶縁事故が発生した配電線を特定することができるような包囲部材を得ることができる。
【発明を実施するための最良の形態】
【００２０】
以下、本発明の包囲部材を、図面に基づいて説明する。本発明の包囲部材は、架空線などの遮蔽層を持たない配電線に備えられた各導体を包囲するものである。図１（ａ）は、本発明の包囲部材の一実施の形態を示す断面図であり、（ｂ）は、（ａ）のＡ−Ａ線断面図である。
【００２１】
同図に示すように、包囲部材１０は、円筒型であり、導電層としての半導電層１１と、この半導電層１１を挟む絶縁層１２とを備えている。また、包囲部材１０の半径方向Ｙ２外側に配置されている絶縁層１２からは、半導電層１１と電気的に接続されているＩＶ線１３（＝電線）が引き出されている。さらに、この包囲部材１０は、円筒型の長さ方向Ｙ１に切り口１４が設けられている。また、図１（ｂ）に示すように、この包囲部材１０の長さ方向Ｙ１の両端１５には、半導電層１１が設けられておらず、さらに、端部に向かうに従って、円筒型の半径方向Ｙ２が薄くなっている。
【００２２】
上述した構成の包囲部材１０の配電線に備えられた各導体への取付は、以下のようにして行われる。なお、この導体２０は、図２に示すように、絶縁層によって包囲された状態にある。まず、図２に示すように切り口１４を広げ、この切り口１４から導体２０を包み込むようにセットする。そして、自己融着テープなどを切り口１４がふさぐように巻き付ける。この作業は、切り口１４の半導電層１１を電気的に接続するためと、雨水等が侵入するのを防止する目的で行う。以上のように切り口１４を設けることにより、簡単に各導体を包囲することができる。
【００２３】
また、上述したように包囲部材１０の端部には、半導電層１１が設けられておらず、さらに、端部に向かうに従って、円筒型の半径方向Ｙ２が薄くなっている。このため、ふさいだ切り口１４を切れにくくすることができる。
【００２４】
この包囲部材１０で導体２０の外側面を包囲すると、図３に示すように、半導電層は、架空線２０の外側面上に均等な位置に配置される。また、導体２０側とは反対側に配置される絶縁層１２からＩＶ線が引き出されている。
【００２５】
三相式の配電線の場合、この包囲部材１０の導体２０への取付を３相共に行い、それぞれのＩＶ線１３を一括して接地する。これにより、架空線の各導体２０に交流電流が流れると、この導体２０を包囲する包囲部材１０の半導電層１１に誘導電圧、誘導電流が発生する。この半導電層１１の零相電圧、電流は、配電線に備えられた導体２０の零相電圧とほぼ同じ特性になり、従来で説明したように正常時はほぼゼロで、絶縁事故が発生すると三相のバランスが崩れて大きくなる。
【００２６】
従って、ＩＶ線１３を介して、配電線毎に零相電圧、電流を計測できるので、遮蔽層がない架空線のような配電線においても耐圧の高くない簡便な機器を用い、絶縁事故が発生した配電線を特定することができる。
【００２７】
なお、上述した実施例では、単に、半導電層１１と電気的に接続されたＩＶ線１３を絶縁層１２から引き出していたが、例えば、図４に示すように、絶縁層１２から引き出されたＩＶ線１３が、再び絶縁層１２を貫通して半導電層１１に電気的に接続されているように構成することも考えられる。このように構成しても、導体２０に交流電流が流れると、半導電層１１に誘導電流Ｉを流すことができ、この誘導電流Ｉを計測すれば、計測した誘導電流Ｉに基づき、配電線に絶縁事故が発生しているか否かを判断することができる。
【図面の簡単な説明】
【００２８】
【図１】（ａ）本発明の包囲部材の一実施の形態を示す断面図である。（ｂ）は、（ａ）のＡ−Ａ線断面図である。
【図２】図１に示す包囲部材１０の導体２０への取付を説明するための断面図である。
【図３】導体２０の外側面を図１に示す包囲部材１０によって包囲したときの断面図である。
【図４】他の実施形態における包囲部材の断面図である。
【図５】配電用変電所の簡略化した図である。
【符号の説明】
【００２９】
１０  包囲部材
１１  半導電層（導電層）
１２  絶縁層
１３  ＩＶ線（電線）
２０  導体
【図１】
2006158143.tif 000003
【図２】
2006158143.tif 000004
【図３】
2006158143.tif 000005
【図４】
2006158143.tif 000006
【図５】
2006158143.tif 000007